(57)【要約】【課題】背景画像に応じて、視認性の高い時計文字色を判別し、時計文字色を変更する。【解決手段】画像データを格納する記憶部と、画像解析処理部及び時計を有し、画像データ０２１及び時刻情報から時計文字を有する待受画面データを作成し、この待受画面データを画像解析処理部に解析させる制御部と、制御部から待受画面データを受信し、表示部に画像を表示する表示制御部と、を備え、画像処理解析部は、時計表示エリア５００の背景画像の輝度平均値を算出し、この輝度平均値を基準値と比較し、輝度平均値が基準値以上の場合は待受画面データの時計文字色を黒系色に変更し、輝度平均値が基準値未満の場合は待受画面データの時計文字色を白系色に変更する。【選択図】図３
2010091617.tif 000002
【特許請求の範囲】
【請求項１】
画像及び時刻を示す時計文字を表示する表示部を有する情報処理端末において、該時計文字の色彩である時計文字色を設定する時計文字色自動設定装置であって、
画像データを格納する記憶部と、
画像解析処理部及び計時によって前記時刻に係る時刻情報を生成する時計を有し、前記画像データ及び該時刻情報から前記時計文字を有する待受画面データを作成し、該待受画面データを前記画像解析処理部に解析させる制御部と、
前記制御部から前記待受画面データを受信し、前記制御部の制御に基づいて、前記表示部に前記待受画面データの画像を表示する表示制御部と、
を備え、
前記画像処理解析部は、前記待受画面データのうち、前記時計文字が表示される領域である時計表示エリアの背景画像の輝度平均値を算出し、該輝度平均値を予め設定され前記記憶部に格納されている基準値と比較し、該輝度平均値が該基準値以上の場合は前記待受画面データの前記時計文字色を黒系色に変更し、該輝度平均値が該基準値未満の場合は前記待受画面データの前記時計文字色を白系色に変更することを特徴とする時計文字色自動設定装置。
【請求項２】
前記画像処理解析部は、前記待受画面データを、輝度信号をＹ、該輝度信号と青色成分の色差をＵ及び該輝度信号と赤色成分の色差をＶとする３つの情報で色を表すフォーマットであるＹＵＶデータとして扱い、前記輝度平均値は該Ｙの平均値であり、前記基準値は該Ｙの最大値の半分の値であることを特徴とする請求項１に記載の時計文字色自動設定装置。
【請求項３】
前記画像処理解析部は、前記待受画面データの前記時計表示エリアの背景画像から、Ｒ成分の画素値の平均値であるＲ、Ｇ成分の画素値の平均値であるＧ及びＢ成分の画素値の平均値であるＢをそれぞれ算出し、以下の変換式にてＹ’を算出し、該Ｙ’を前記輝度平均値とすることを特徴とする請求項１又は２に記載の時計文字色自動設定装置。
Ｙ’＝０．２９９Ｒ＋０．５８７Ｇ＋０．１１４Ｂ
【請求項４】
前記記憶部は、前記基準値に代えて、ＲＧＢ各成分の画素値の最大値の半分の値を、ＲＧＢの各色成分ごとに予め設定された基準値として格納し、
前記画像処理解析部は、前記輝度平均値に代えて、前記待受画面データの前記時計表示エリアの背景画像から、ＲＧＢの各色成分ごとに画素値の平均値を算出し、該ＲＧＢの各色成分ごとに算出した画素値の平均値と、該基準値と、を各色成分別に比較し、該比較の結果、前記画素値の平均値が該基準値以上の色成分は、該色成分を前記時計文字色においてＯＦＦにし、前記画素値の平均値が該基準値未満の色成分は、該色成分を前記時計文字色においてＯＮにし、これら各色成分のＯＮ及びＯＦＦの結果に基づいて前記時計文字色を決定することを特徴とする請求項１に記載の時計文字色自動設定装置。
【請求項５】
前記情報処理端末は、携帯電話機、ＰＤＡ（Personal Digital Assistant）及びＰＣ（Personal Computer）であることを特徴とする請求項１乃至４のいずれか１項に記載の時計文字色自動設定装置。
【請求項６】
画像及び時刻を示す時計文字を表示する表示部を有する情報処理端末において、該時計文字の色彩である時計文字色を設定する時計文字色自動設定方法であって、
画像データ及び予め設定された基準値を格納する記憶手順と、
計時によって前記時刻に係る時刻情報を生成する手順と、
前記画像データ及び前記時刻情報から前記時計文字を有する待受画面データを作成し、該待受画面データを解析する手順と、
前記待受画面データの画像の表示を制御する手順と、
前記制御に基づいて、前記表示部に前記待受画面データの画像を表示する手順と、
を備え、
前記待受画面データを解析する手順は、前記待受画面データのうち、前記時計文字が表示される領域である時計表示エリアの背景画像の輝度平均値を算出し、該輝度平均値を前記基準値と比較し、該輝度平均値が前記基準値以上の場合は前記待受画面データの前記時計文字色を黒系色に変更し、該輝度平均値が前記基準値未満の場合は前記待受画面データの前記時計文字色を白系色に変更することを特徴とする時計文字色自動設定方法。
【請求項７】
前記待受画面データを解析する手順は、前記待受画面データを、輝度信号をＹ、該輝度信号と青色成分の色差をＵ及び該輝度信号と赤色成分の色差をＶとする３つの情報で色を表すフォーマットであるＹＵＶデータとして扱い、前記輝度平均値は該Ｙの平均値であり、前記基準値は該Ｙの最大値の半分の値であることを特徴とする請求項６に記載の時計文字色自動設定方法。
【請求項８】
前記待受画面データを解析する手順は、前記待受画面データの前記時計表示エリアの背景画像から、Ｒ成分の画素値の平均値であるＲ、Ｇ成分の画素値の平均値であるＧ及びＢ成分の画素値の平均値であるＢをそれぞれ算出し、以下の変換式にてＹ’を算出し、該Ｙ’を前記輝度平均値とすることを特徴とする請求項６又は７に記載の時計文字色自動設定方法。
Ｙ’＝０．２９９Ｒ＋０．５８７Ｇ＋０．１１４Ｂ
【請求項９】
前記記憶手順は、前記基準値に代えて、ＲＧＢ各成分の画素値の最大値の半分の値を、ＲＧＢの各色成分ごとに予め設定された基準値として格納し、
前記待受画面データを解析する手順は、前記輝度平均値に代えて、前記待受画面データの前記時計表示エリアの背景画像から、ＲＧＢの各色成分ごとに画素値の平均値を算出し、該ＲＧＢの各色成分ごとに算出した画素値の平均値と、該基準値と、を各色成分別に比較し、該比較の結果、前記画素値の平均値が該基準値以上の色成分は、該色成分を前記時計文字色においてＯＦＦにし、前記画素値の平均値が該基準値未満の色成分は、該色成分を前記時計文字色においてＯＮにし、これら各色成分のＯＮ及びＯＦＦの結果に基づいて前記時計文字色を決定することを特徴とする請求項６に記載の時計文字色自動設定方法。
【請求項１０】
前記情報処理端末は、携帯電話機、ＰＤＡ（Personal Digital Assistant）及びＰＣ（Personal Computer）であることを特徴とする請求項６乃至９のいずれか１項に記載の時計文字色自動設定方法。
【請求項１１】
画像及び時刻を示す時計文字を表示する表示部を有する情報処理端末において、該時計文字の色彩である時計文字色を設定する時計文字色自動設定プログラムであって、
画像データ及び予め設定された基準値を格納する記憶処理と、
計時によって前記時刻に係る時刻情報を生成する処理と、
前記画像データ及び前記時刻情報から前記時計文字を有する待受画面データを作成し、該待受画面データを解析する処理と、
前記待受画面データの画像の表示を制御する処理と、
前記制御に基づいて、前記表示部に前記待受画面データの画像を表示する処理と、
をコンピュータに実行させ、
前記待受画面データを解析する処理は、前記待受画面データのうち、前記時計文字が表示される領域である時計表示エリアの背景画像の輝度平均値を算出し、該輝度平均値を前記基準値と比較し、該輝度平均値が前記基準値以上の場合は前記待受画面データの前記時計文字色を黒系色に変更し、該輝度平均値が前記基準値未満の場合は前記待受画面データの前記時計文字色を白系色に変更することを特徴とする時計文字色自動設定プログラム。
【請求項１２】
前記待受画面データを解析する処理は、前記待受画面データを、輝度信号をＹ、該輝度信号と青色成分の色差をＵ及び該輝度信号と赤色成分の色差をＶとする３つの情報で色を表すフォーマットであるＹＵＶデータとして扱い、前記輝度平均値は該Ｙの平均値であり、前記基準値は該Ｙの最大値の半分の値であることを特徴とする請求項１１に記載の時計文字色自動設定プログラム。
【請求項１３】
前記待受画面データを解析する処理は、前記待受画面データの前記時計表示エリアの背景画像から、Ｒ成分の画素値の平均値であるＲ、Ｇ成分の画素値の平均値であるＧ及びＢ成分の画素値の平均値であるＢをそれぞれ算出し、以下の変換式にてＹ’を算出し、該Ｙ’を前記輝度平均値とすることを特徴とする請求項１１又は１２に記載の時計文字色自動設定プログラム。
Ｙ’＝０．２９９Ｒ＋０．５８７Ｇ＋０．１１４Ｂ
【請求項１４】
前記記憶処理は、前記基準値に代えて、ＲＧＢ各成分の画素値の最大値の半分の値を、ＲＧＢの各色成分ごとに予め設定された基準値として格納し、
前記待受画面データを解析する処理は、前記輝度平均値に代えて、前記待受画面データの前記時計表示エリアの背景画像から、ＲＧＢの各色成分ごとに画素値の平均値を算出し、該ＲＧＢの各色成分ごとに算出した画素値の平均値と、該基準値と、を各色成分別に比較し、該比較の結果、前記画素値の平均値が該基準値以上の色成分は、該色成分を前記時計文字色においてＯＦＦにし、前記画素値の平均値が該基準値未満の色成分は、該色成分を前記時計文字色においてＯＮにし、これら各色成分のＯＮ及びＯＦＦの結果に基づいて前記時計文字色を決定することを特徴とする請求項１１に記載の時計文字色自動設定プログラム。
【請求項１５】
前記情報処理端末は、携帯電話機、ＰＤＡ（Personal Digital Assistant）及びＰＣ（Personal Computer）であることを特徴とする請求項１１乃至１４のいずれか１項に記載の時計文字色自動設定プログラム。
【発明の詳細な説明】
【技術分野】
【０００１】
本発明は、携帯電話機の待受画面にて表示される時計の文字色を時計表示エリアの背景画像に応じて、視認性の高い時計文字色を判別し、自動で時計文字色を変更する時計文字色自動設定装置、その方法及びそのプログラムに関する。
【背景技術】
【０００２】
現在の携帯電話機ユーザーは、携帯電話機の端末購入時からインストールされているコンテンツを使用する他に、インターネットでダウンロードした画像やカメラ機能で撮影した画像を待受画面に設定することが可能である。
【０００３】
しかし、設定する画像によっては待受画面の時計が見づらいことがある。また、待受画面に応じてユーザーが時計文字色を変更可能であっても手動の操作が必要である。
【０００４】
そのため、特許文献１には、文字や図形などの表示色と、その背景となる背景色とを同系色で輝度を異ならせて表示する発明が開示されている。
【０００５】
特許文献２には、待ち受け画面の表示内容を変えずに、時計の表示色のみを予め登録した色に変更する発明が開示されている。
【０００６】
特許文献３には、文字を表示する領域の背景色を参照して視認性の良い文字色を選択する発明が開示されている。
【特許文献１】特開２００５−０８４０８５号公報
【特許文献２】特開２００６−２１１３９３号公報
【特許文献３】特開２００７−０３４５６７号公報
【発明の開示】
【発明が解決しようとする課題】
【０００７】
しかしながら、特許文献１に開示された発明は、どのようにして文字や図形の表示色と背景色との輝度を考慮して、文字や図形などの表示色と、その背景となる背景色とで異なる輝度を設定するかが説明されていない。
【０００８】
又、特許文献２に開示されている発明は、予め登録してある色に時計の表示色を変更するものに過ぎず、時計の表示と画面の表示との相互の関係から最適な色彩を自動的に設定するものではない。
【０００９】
更に、特許文献３に開示されている発明は、特定のイベントが生じたときに予め登録されている文字色に切り替えるものであり、領域の背景を参照して文字色を変更する手法については具体的な言及がなされていない。
【００１０】
一方で、携帯電話機の液晶画面は高精細化され画素の多い画像を表示するようになり、複雑な画像を表示するようになり、画像を拡大して表示する等、画像について可能な設定も複雑化している。
【００１１】
このため、特許文献１〜３に開示された発明のように設定の多くの部分をユーザーの操作に頼っていたのでは、適切な設定がなされないおそれがある。
【００１２】
予め、種々の画像又は種々の設定に最適な時計色を用意することも考えられる。しかしながら、上記のように複雑な画像を表示するようになり、画像を拡大して表示する等、画像について可能な設定も複雑化している現状では、用意すべき時計色の種類が膨大なものとなり、現実的な解決策とはいえないという問題点がある。
【００１３】
本発明は上記に鑑みてなされたもので、携帯電話機、ＰＤＡ（Personal Digital Assistant）及びＰＣ（Personal Computer）等の情報処理端末の待受画面にて表示される時計の文字色を時計表示エリアの背景画像に応じて、視認性の高い時計文字色を判別し、自動で時計文字色を変更する時計文字色自動設定装置、その方法及びそのプログラムを提供することを目的とする。
【課題を解決するための手段】
【００１４】
上述の課題を解決するため、本発明に係る時計文字色自動設定装置は、画像及び時刻を示す時計文字を表示する表示部を有する情報処理端末において、該時計文字の色彩である時計文字色を設定する時計文字色自動設定装置であって、画像データを格納する記憶部と、画像解析処理部及び計時によって前記時刻に係る時刻情報を生成する時計を有し、前記画像データ及び該時刻情報から前記時計文字を有する待受画面データを作成し、該待受画面データを前記画像解析処理部に解析させる制御部と、前記制御部から前記待受画面データを受信し、前記制御部の制御に基づいて、前記表示部に前記待受画面データの画像を表示する表示制御部と、を備え、前記画像処理解析部は、前記待受画面データのうち、前記時計文字が表示される領域である時計表示エリアの背景画像の輝度平均値を算出し、該輝度平均値を予め設定され前記記憶部に格納されている基準値と比較し、該輝度平均値が該基準値以上の場合は前記待受画面データの前記時計文字色を黒系色に変更し、該輝度平均値が該基準値未満の場合は前記待受画面データの前記時計文字色を白系色に変更することを特徴とする。
【００１５】
上述の課題を解決するため、本発明に係る時計文字色自動設定方法は、画像及び時刻を示す時計文字を表示する表示部を有する情報処理端末において、該時計文字の色彩である時計文字色を設定する時計文字色自動設定方法であって、画像データ及び予め設定された基準値を格納する記憶手順と、計時によって前記時刻に係る時刻情報を生成する手順と、前記画像データ及び前記時刻情報から前記時計文字を有する待受画面データを作成し、該待受画面データを解析する手順と、前記待受画面データの画像の表示を制御する手順と、前記制御に基づいて、前記表示部に前記待受画面データの画像を表示する手順と、を備え、前記待受画面データを解析する手順は、前記待受画面データのうち、前記時計文字が表示される領域である時計表示エリアの背景画像の輝度平均値を算出し、該輝度平均値を前記基準値と比較し、該輝度平均値が前記基準値以上の場合は前記待受画面データの前記時計文字色を黒系色に変更し、該輝度平均値が前記基準値未満の場合は前記待受画面データの前記時計文字色を白系色に変更することを特徴とする。
【００１６】
上述の課題を解決するため、本発明に係る時計文字色自動設定プログラムは、画像及び時刻を示す時計文字を表示する表示部を有する情報処理端末において、該時計文字の色彩である時計文字色を設定する時計文字色自動設定プログラムであって、画像データ及び予め設定された基準値を格納する記憶処理と、計時によって前記時刻に係る時刻情報を生成する処理と、前記画像データ及び前記時刻情報から前記時計文字を有する待受画面データを作成し、該待受画面データを解析する処理と、前記待受画面データの画像の表示を制御する処理と、前記制御に基づいて、前記表示部に前記待受画面データの画像を表示する処理と、をコンピュータに実行させ、前記待受画面データを解析する処理は、前記待受画面データのうち、前記時計文字が表示される領域である時計表示エリアの背景画像の輝度平均値を算出し、該輝度平均値を前記基準値と比較し、該輝度平均値が前記基準値以上の場合は前記待受画面データの前記時計文字色を黒系色に変更し、該輝度平均値が前記基準値未満の場合は前記待受画面データの前記時計文字色を白系色に変更することを特徴とする。
【発明の効果】
【００１７】
本発明によれば、画像処理解析部が、時計表示エリアの背景画像の輝度平均値を算出し、この輝度平均値が基準値以上の場合は時計文字色を黒系色に変更し、この輝度平均値が基準値未満の場合は時計文字色を白系色に変更することにより、携帯電話機、ＰＤＡ（Personal Digital Assistant）及びＰＣ（Personal Computer）等の情報処理端末の待受画面にて表示される時計の文字色を時計表示エリアの背景画像に応じて、視認性の高い時計文字色を判別し、自動で時計文字色を変更する時計文字色自動設定装置、その方法及びそのプログラムを提供することができる。
【発明を実施するための最良の形態】
【００１８】
以下、図面を参照しながら本発明の実施の形態について説明する。
［第１実施形態］
図１は、本発明の第１の実施の形態に係る時計文字色自動設定装置の構成を示す図である。
【００１９】
図１に示すように、本実施の形態に係る時計文字色自動設定装置は、制御部（ＭＰＵ）０１０と、プログラム及び種々のデータを格納する記憶部０２０と、制御部（ＭＰＵ）０１０からＹＵＶデータを受信し表示部３００に表示制御を行う表示制御部３１０と、画像及び文字を表示する表示部３００とを備える。又、制御部（ＭＰＵ）０１０は、画像解析処理部０１１と計時によって時刻情報を生成する時計０１２とを有する。
【００２０】
ＹＵＶは、輝度信号をＹ、輝度信号と青色成分の色差をＵ、輝度信号と赤色成分の色差をＶとする３つの情報で色を表すフォーマットである。
【００２１】
制御部（ＭＰＵ）０１０は、プログラムにより記憶部０２０に格納してある画像データと時計０１２の時刻情報とから時刻を示す時計文字を有する待受画面データを作成し、表示制御部３１０にＹＵＶの画像データを出力する。又、制御部（ＭＰＵ）０１０は表示制御部３１０に対して表示ＯＮ・ＯＦＦ等の表示制御を行う。
【００２２】
表示制御部３１０は、制御部（ＭＰＵ）０１０の制御に基づき、表示部３００にＹＵＶデータを表示する。
【００２３】
画像解析処理部０１１は、制御部（ＭＰＵ）０１０の指定に従い、待受画面データを解析し、待受画面データ内の輝度信号Ｙの平均値及びＲＧＢの各成分の平均値を出力する。
【００２４】
続いて、図２、図３及び図４で本実施の形態に係る時計文字色自動設定装置の動作を説明する。
【００２５】
ここで、図２は、本実施の形態に係る時計文字色自動設定装置の動作を示すフローチャートである。
【００２６】
まず、ユーザーが新たに画像データを待受画面に設定することで本発明の動作が開始する。
【００２７】
ステップ４０１で制御部（ＭＰＵ）０１０が、ユーザーから指定された画像データを記憶部０２０から読み出し、待受画面に表示するための待受画面データを作成する。
【００２８】
ステップ４０２では、制御部（ＭＰＵ）０１０の指定に従い、画像解析処理部０１１が、ステップ４０１で作成した待受画面データのうち、時計文字が表示される領域である時計表示エリアの背景画像から輝度信号Ｙの平均値を算出する。なお、この平均値は取得した輝度信号Ｙの合計を時計表示エリアのピクセル数で割って算出する。
【００２９】
ステップ４０３では、ステップ４０２で算出した輝度平均値と基準値の比較を行う。
【００３０】
基準値は、予め設定され、記憶部０２０に格納されたもので、ＹＵＶの輝度信号Ｙの最大値の半分の値であるとする。例えば輝度信号Ｙが８ｂｉｔ構成であれば最大値２５５の半分である１２８とする。
【００３１】
比較の結果、基準値未満であればステップ４０４へ、基準値以上であればステップ４０５へ遷移する。ステップ４０４では待受画面データの時計文字色を白系色に変更する。ステップ４０５では待受画面データの時計文字色を黒系色に変更する。
【００３２】
時計文字色は、記憶部０２０に、白色系及び黒色系のデータを格納しておいてもよい。又は、ピクセル当たり２４ビットでエンコードされたＲＧＢ明度であれば、輝度平均値が基準値以上の場合は文字色のＲＧＢ明度を（０，０，０）、輝度平均値が基準値未満の場合は文字色のＲＧＢ明度を（２５５，２５５，２５５）としてもよい。
【００３３】
図３は、本実施の形態での待受画面設定時の時計文字色変更の一例を示す図である。この図３では、ユーザーが待受画面３０１から画像データを変更する際、設定画面３０２から設定を行う。
【００３４】
ユーザーが設定画面３０２から画像データ０２１を選択し、待受画面に設定する。このとき図２のステップ４０１から順に処理が実行され全ての処理が完了した時点で設定完了とする。
【００３５】
待受表示に戻ると時計文字色が変更された待受画面３０３を表示する。
【００３６】
図４は、待受画面の一部に画像が設定された場合の時計文字色の変更例を示す図である。
【００３７】
本実施の形態では、待受画面に設定する画像の色成分から適合する時計文字色を決定するのではなく、実際に表示部３００に表示される待受画面データの時計表示エリア背景画像の輝度平均値から文字色の決定を行う。このため画像データ０２２のような待受画面より小さな画像が設定された場合でも、背景色や、画像の拡大・縮小表示等のステータスを考慮することなく同様の処理にて、待受画面３０６のように視認性の高い時計文字色で表示する。
［第２実施形態］
続いて、第２の実施の形態について説明する。
【００３８】
第１の実施の形態では、画像解析処理部０１１で扱う画像データがＹＵＶの場合について示したが、画像データがＲＧＢの場合であっても同様の効果が得られる。図５は、画像データがＲＧＢの場合の一例を示す図である。
【００３９】
制御部（ＭＰＵ）０１０の指定に従い、画像解析処理部０１１は、待受画面データ３０７の時計表示エリアの背景画像からＲＧＢによる各色成分の画素値の平均値を求める。各色成分の平均値は取得した各成分値の合計を時計表示エリアのピクセル数で割って算出する。
【００４０】
Ｒ成分の画素値の平均値であるＲ、Ｇ成分の画素値の平均値であるＧ及びＢ成分の画素値の平均値であるＢから、以下の変換式にてＹ’を求めることができる。
【００４１】
Ｙ’＝０．２９９Ｒ＋０．５８７Ｇ＋０．１１４Ｂ
ＲＧＢ各成分の画素値から変換したＹ’を輝度平均値とし、これに第１の実施の形態を適用して、待受画面データ３０８に視認性の高い時計文字色を自動で設定する。
［第３実施形態］
続いて、第３の実施の形態について説明する。
【００４２】
第１の実施の形態では、画像解析処理部０１１で扱う画像データがＹＵＶの場合、時計表示エリアの背景画像の輝度信号Ｙの平均を算出し基準値と比較することで視認性の高い時計文字色を自動で設定するが、これに対して画像データがＲＧＢの場合、本発明の輝度信号Ｙの平均を算出し基準値と比較する動作をＲＧＢの各色成分に適用することで同様の効果が得られる。
【００４３】
第３の実施の形態の場合、コントラストが強調された８パターンの時計文字色を自動で設定する。各色成分の画素値の平均値が、ＲＧＢの各色成分ごとに予め設定され、記憶部０２０に格納されている基準値未満のときにその成分をＯＮ、基準値以上のときにＯＦＦとすることで実現する。なお、基準値はＲＧＢ各成分の画素値の最大値の半分とする。
【００４４】
図６は、第３の実施の形態の動作フローである。
【００４５】
まず、ユーザーが画像データを新たに待受画面に設定することで本処理が開始する。
【００４６】
ステップ７０１で制御部（ＭＰＵ）０１０が、ユーザーから指定された画像データを記憶部０２０から読み出し、待受画面に表示するための待受画面データを作成する。
【００４７】
ステップ７０２では、制御部（ＭＰＵ）０１０の指定に従い、画像解析処理部０１１が、ステップ７０１で作成した待受画面データの時計表示エリアの背景画像からＲＧＢ各成分の画素値の平均値を算出する。
【００４８】
ステップ７０３ではステップ７０２で算出したＲ成分の画素値の平均値をＲ成分の基準値と比較し、基準値未満の場合はステップ７０４へ、基準値以上の場合ステップ７０５へ遷移する。ステップ７０５ではＲ成分をＯＮにし、ステップ７０６ではＲ成分をＯＦＦにする。
【００４９】
ステップ７０６ではステップ７０２で算出したＧ成分の画素値の平均値をＧ成分の基準値と比較し、基準値未満の場合はステップ７０７へ、基準値以上の場合ステップ７０８へ遷移する。ステップ７０７ではＧ成分をＯＮにし、ステップ７０８ではＧ成分をＯＦＦにする。
【００５０】
ステップ７０９ではステップ７０２で算出したＢ成分の画素値の平均値をＢ成分の基準値と比較し、基準値未満の場合はステップ７１０へ、基準値以上の場合ステップ７１１へ遷移する。ステップ７１０ではＢ成分をＯＮにし、ステップ７１１ではＢ成分をＯＦＦにする。
【００５１】
ステップ７１２では各成分のＯＮ・ＯＦＦから時計文字色を決定し、変更する。
【００５２】
例えば青みが強い待受画面の時計表示エリアの各成分の画素値の平均値を算出したところ、基準値以上であったのがＢ成分だけの場合、Ｒ成分をＯＮ、Ｇ成分をＯＮ、Ｂ成分をＯＦＦにした色へ時計文字色を自動的に変更する。
【００５３】
この場合、ピクセル当たり２４ビットでエンコードされたＲＧＢ明度であれば、文字色のＲＧＢ明度を（２５５，２５５，０）とすることによって、Ｒ成分をＯＮ、Ｇ成分をＯＮ、Ｂ成分をＯＦＦにした色としてもよい。
【産業上の利用可能性】
【００５４】
本発明は、携帯電話機、ＰＤＡ及びパーソナルコンピュータ等のカラー表示部を搭載する機器に利用することができる。
【図面の簡単な説明】
【００５５】
【図１】本発明の第１の実施の形態に係る時計文字色自動設定装置の構成を示す図である。
【図２】本発明の第１の実施の形態に係る時計文字色自動設定装置の動作を示すフローチャートである。
【図３】本発明の第１の実施の形態に係る時計文字色自動設定装置での待受画面設定時の時計文字色変更の一例を示す図である。
【図４】本発明の第１の実施の形態に係る時計文字色自動設定装置での待受画面の一部に画像が設定された場合の時計文字色の変更例を示す図である。
【図５】本発明の第２の実施の形態に係る時計文字色自動設定装置で、画像データがＲＧＢの場合の一例を示す図である。
【図６】本発明の第３の実施の形態に係る時計文字色自動設定装置の動作を示すフローチャートである。
【符号の説明】
【００５６】
０１０  制御部（ＭＰＵ）
０１１  画像解析処理部
０１２  時計
０２０  記憶部
０２１  画像データ
０２２  画像データ
３００  表示部
３０１  待受画面
３０２  設定画面
３０３  待受画面
３０４  待受画面
３０５  設定画面
３０６  待受画面
３０７  待受画面データ
３０８  待受画面データ
３１０  表示制御部
５００  時計表示エリア
【図１】
2010091617.tif 000003
【図２】
2010091617.tif 000004
【図３】
2010091617.tif 000005
【図４】
2010091617.tif 000006
【図５】
2010091617.tif 000007
【図６】
2010091617.tif 000008